(57)【要約】      （修正有）【課題】特定天井に非該当の２ｋｇ／ｍ２以下の吊り天井を提供する。【解決手段】上端が天井躯体に取り付けられ、垂下する複数の吊りボルト１と、吊りボルトの下端にハンガー２を介して支持され、角型の横断面を有する複数の長尺の野縁受け４に交差して固定され、無機系不燃断熱発泡板である天井仕上げボードを保持するＴ型の横断面を有する長尺の野縁６を備え、野縁と直行方向でハット型の横断面を有するクリップ７をコ字型の横断面を有するクリップカバー９にてビスを用いて野縁受けに固定されることを特徴とする吊り天井構造であって、天井面構成部材の合計質量が２ｋｇ／ｍ２以下であることを特徴とする。【選択図】図２
0003210534.tif 000002
【実用新案登録請求の範囲】
【請求項１】
上端が天井躯体に取り付けられ、垂下する複数の吊りボルトと、前記吊りボルトの下端にハンガーを介して支持され、角型の横断面を有する複数の長尺の野縁受けに交差して固定され、無機系不燃断熱発泡板である天井仕上げボードを保持するＴ字型の横断面を有する長尺の野縁を備え、前記野縁と直行方向でハット型の横断面を有するクリップをコ字型の横断面を有するクリップカバーにてビスを用いて前記野縁受けに固定されることを特徴とする吊り天井構造であって、天井面構成部材の合計質量が２ｋｇ／ｍ２以下であることを特徴とする吊り天井構造。
【考案の詳細な説明】
【技術分野】
【０００１】  本考案は、吊り天井の構造に関する。
【背景技術】
【０００２】  建築基準法施行令の一部改正（２０１３年８月５日公布、２０１４年４月１日施行）の特定天井及び特定天井の構造耐力上安全な構造方法を定める件（平成２５年国土交通省告示第７７１号）（非実用新案文献１）により、特定天井の定義がなされた。特定天井とは、１）居室、廊下その他の人が日常立ち入る場所に設けられるもの、２）高さが６メートルを超える天井の部分で、その水平投影面積が２００ｍ２を超えるもの、３）天井面構成部材等の単位面積質量（天井面の面積１ｍ２当たりの質量をいう。以下同じ）が２ｋｇを超えるもののいずれかに該当する天井を指しこのような天井は地震等による脱落により重大な危険が生じる可能性があるとして、規制が強化されている。
【先行技術文献】
【非特許文献】
【０００３】  国土交通省  建築基準法施行令の一部を改正する政令について（平成２６年４月施行）３．建築物の天井脱落対策関連告示（１）特定天井及び特定天井の構造耐力上安全な構造方法を定める件（平成２５年国土交通省告示第７７１号）インターネット＜ｈｔｔｐ：／／ｗｗｗ．ｍｌｉｔ．ｇｏ．ｊｐ／ｃｏｍｍｏｎ／００１００９４８４．ｐｄｆ＞
【考案の概要】
【考案が解決しようとする課題】
【０００４】  特定天井の条件を満たす天井については国土交通省が発表している天井脱落の対象となり、耐震性等を考慮した天井の使用に適合することで検証する仕様ルート、天井の耐震性等を告示で定める計算で検証する計算ルート、構造躯体の特定を時刻歴応答解析で検証する建築物について天井の耐震性を検証する大臣認定ルート、いずれかのルートで検証することが開示されている。【０００５】  特定天井の条件を満たす天井であっても、２ｋｇ／ｍ２以下であれば特定天井には該当されない「その他の天井」となり、設計者の判断により安全を確保するルートもあることが開示されている。【０００６】  本考案の目的は、特定天井に非該当の２ｋｇ／ｍ２以下の吊り天井構造を提供することにある。
【課題を解決するための手段】
【０００７】  上端が天井躯体に取り付けられ、垂下する複数の吊りボルトと、前記吊りボルトの下端にハンガーを介して支持され、角型の横断面を有する複数の長尺の野縁受けに交差して固定され、無機系不燃断熱発泡板である天井仕上げボードを保持するＴ字型の横断面を有する長尺の野縁を備え、前記野縁と直行方向でハット型の横断面を有するクリップをコ字型の横断面を有するクリップカバーにてビスを用いて前記野縁受けに固定されることを特徴とする吊り天井構造であって、天井面構成部材の合計質量が２ｋｇ／ｍ２以下であることを特徴とする吊り天井構造。
【考案の効果】
【０００８】  本考案は、軽量である為万が一落下したとしても人的被害が起こる可能性が低い。また、天井ボードに採用しているボードは無機系不燃断熱発泡板であり、尚且つ仕上げとして使用している塗装も不燃のため、火災が起きても燃えることがなく有害なガスも発生しない。
【図面の簡単な説明】
【０００９】
【図１】本考案の実施形態に係る吊り天井の構造を模式的に示す概念図である。
【図２】図１において野縁受けと野縁との設置部分を示す拡大図である。
【図３】図１において天井仕上げボードとジョイナー及び野縁とジョイントの設置部分を示す拡大図である。
【図４】図１において野縁の横断面を示す拡大図である。
【図５】本考案の壁際での断面図である。
【考案を実施するための形態】
【００１０】  図２のとおり、上端が天井躯体に取り付けられ、垂下する吊りボルト１と、吊りボルト１の下端にハンガー２がナット３にて固定されている。野縁受け４はハンガー２にて支持され、テックスビス８にて固定される。Ｔ字型の横断面を有する長尺の野縁６は野縁受け４に対して交差して固定されている。
野縁受け４にハット型の横断面を有する野縁クリップ７がテックスビスに固定されている。
野縁クリップ７に野縁６がコ字型の横断面を有するクリカップカバー９とタップタイトビス１０で固定されている。
【００１１】  図３のとおり、野縁に天井仕上げボード５が差し込まれ、天井仕上げボードの継ぎ目にはＨ字型の横断面を有するジョイナー１１が設置されている。また野縁の連結には野縁ジョイント１２を設置しタップタイトビス１０で固定されている。
【００１２】  図４のとおり、壁際には野縁ではなく、廻縁バー１３が設置されている。
【００１３】  以上の構成を備える吊り天井の構造についてその施工手順を以下のとおり説明する。
【実施例】
【００１４】  天井面積５２８ｍ２の民間プールにて吊りボルトの間隔を１，２００ｍｍ×１，２００ｍｍを用いた吊り天井構造を構築した。【００１５】  天井面構成部材（吊りボルト及び廻縁バーを除く）の質量は次の通りとなる。
ハンガー１個の質量が０．０５０ｋｇであり、４０５個使用し、総質量が２０．２５ｋｇ。
ナット１個の質量が０．０１０ｋｇであり、８１０個使用し、総質量が８．１ｋｇ。
野縁受け１本の質量が１．２０４ｋｇであり、１１０本使用し、総質量が１３２．４４ｋｇ。
天井ボード１ｍ２の質量が０．８８０ｋｇであり、５２８ｍ２使用し、４６４．６４ｋｇ。
天井仕上げボードの塗装１ｍ２の質量が０．２１０ｋｇであり、５２８ｍ２使用し、１１０．８８ｋｇ。
野縁１本の質量が０．８５２ｋｇであり、１４３本使用し、総質量が１２１．８３６ｋｇ。
野縁クリップ１個の質量が０．０２０ｋｇであり、４８６個使用し、総質量が９．７２ｋｇ。
テックスビス１個の質量が０．００２ｋｇであり、８１０個使用し、総質量が１．６２ｋｇ。
クリップカバー１個の質量が０．００３ｋｇであり、９７２個使用し、総質量が２．９１６ｋｇ
タップタイトビス１個の質量が０．００２ｋｇであり、１，２２４個使用し、総質量が２．４４８ｋｇ。
ジョイナー１本の質量が０．１６９ｋｇであり、６６０本使用し、１１１．５４ｋｇ。
野縁ジョイント１本の質量が０．０１５ｋｇであり、１２６個使用し、１．８９ｋｇ。
合計が９９８．２８ｋｇである。単位面積質量は１．８７ｋｇとなり、２ｋｇ以下と実施している。【００１６】  また、施工方法は次の通り行った。
本考案設置個所の四方向に廻縁バーを６００ｍｍ程度の間隔でビス固定をする。所定の長さの吊りボルト下端にハンガーをナット２個にて仮設置し天井躯体に設けられたインサートに十分ねじ込み固定する。インサートのねじ込みは１０〜２０ｍｍ程度とする。
吊りボルトの間隔は１，２００〜１，８００ｍｍ程度とする。（実施例は１，２００ｍｍ）吊りボルトの上部は、鉄筋コンクリート造、鉄骨鉄筋コンクリート造の場合は埋め込みインサートに取り付け、鉄骨造の場合は鉄骨と緊結可能な金具を使用し適切な工法で取り付ける。
吊りボルトの下端はハンガーを高さレベルの調整が可能となるように仮設置をする。吊りボルトは天井下地材専用とし、他の用途に使用する場合は（設備等）は、必要耐力等検討の上、別途設けるものとする。【００１７】  野縁受けの間隔は１，２００〜１，８００ｍｍ程度とする。（実施例は１，２００ｍｍ）また、野縁受けは一方向に配してハンガーのビス穴にてテックスビス２本を固定する。【００１８】  野縁受けクリップは天井割り付けに従って、野縁受けに仮設置する。また、野縁を天井の割り付けに従って、野縁受けと直行方向に野縁受けクリップをクリップカバーにてタップタイトビスで固定する。連結には野縁ジョイントを使用する。【００１９】  野縁の流れに沿って天井仕上げボードを一方向に挿入し、天井の割り付けに従い、天井仕上げボードを裁断する。天井仕上げボードのジョイントにはジョイナーを使用する。一連の作業を順次繰り返し、天井を仕上げる。壁際等での天井仕上げボードのカットには、カッターナイフ等を利用する。【００２０】  以上の要領で構築されたつり天井構造は天井面構成部材の合計が９９８．２８ｋｇである。単位面積質量は１．８７ｋｇとなり、２ｋｇ以下と実施している。
【符号の説明】１吊りボルト
２ハンガー
３ナット
４野縁受け
５天井仕上げボード
６野縁
７野縁クリップ
８テックスビス
９クリップカバー
１０タップタイトビス
１１ジョイナー
１２野縁ジョイント
１３廻縁バー
【図１】
0003210534.tif 000003
【図２】
0003210534.tif 000004
【図３】
0003210534.tif 000005
【図４】
0003210534.tif 000006
【手続補正書】
【提出日】平成29年3月24日(2017.3.24)
【手続補正２】
【補正対象書類名】明細書
【補正対象項目名】０００９
【補正方法】変更
【補正の内容】
【０００９】
【図１】本考案の実施形態に係る吊り天井の構造を模式的に示す概念図である。
【図２】図１において野縁受けと野縁との設置部分を示す拡大図である。
【図３】図１において天井仕上げボードとジョイナー及び野縁とジョイントの設置部分を示す拡大図である。
【図４】図１において野縁の横断面、壁際での断面図を示す拡大図である。